(57)【要約】【課題】  高速且つ安定に動作するフレーム同期制御装置及びフレーム同期制御方法を提供する。【解決手段】  受信したデジタル放送信号から復調したＴＭＣＣデータから同期ワードを検出してフレーム同期を確立する第１のフレーム同期制御部５０による同期制御と、上記受信したデジタル放送信号から復調したＴＭＣＣデータと予想されるＴＭＣＣ情報の少なくとも一部の１つ以上のリファレンスデータとの相関を求めてフレーム同期を確立する第２のフレーム同期制御部６０による同期を行い、上記第１のフレーム同期制御部５０によるフレーム同期が確立された時点で、セレクタブロック７０により上記第２のフレーム同期制御部６０から上記第１のフレーム同期制御部５０による同期制御に切り換える。【選択図】  図３
2008099263.tif 000002
【特許請求の範囲】
【請求項１】
受信したデジタル放送信号から復調した伝送多重制御（TMCC:Transmission and Multiplexing Configuration Control）データを保持するＴＭＣＣデータ保持手段と、
上記受信したデジタル放送信号から復調したＴＭＣＣデータと上記ＴＭＣＣデータ保持手段に保持されたＴＭＣＣデータから同期ワードを検出してフレーム同期を確立する第１のフレーム同期制御手段と、
予想されるＴＭＣＣ情報の少なくとも一部の１つ以上のリファレンスデータを保持するとリファレンスデータ保持手段と、
上記ＴＭＣＣデータ保持手段に保持されたＴＭＣＣデータと上記リファレンスデータ保持手段に保持されたリファレンスデータとの相関を求めてフレーム同期を確立する第２のフレーム同期制御手段と、
上記第１のフレーム同期制御手段によるフレーム同期が確立された時点で、上記第２のフレーム同期制御手段による同期制御から上記第１のフレーム同期制御手段に同期制御から切り換える同期制御切換手段と
を備えることを特徴とするフレーム同期制御装置。
【請求項２】
上記第２のフレーム同期制御手段は、
上記ＴＭＣＣデータ保持手段に保持されたＴＭＣＣデータと上記リファレンスデータ保持手段に保持されたリファレンスデータとの相関値を算出する相関計算手段と、
上記相関計算手段により算出された相関値を用いてフレーム同期を判定するフレーム同期判定手段と
を備えることを特徴とする請求項１記載のフレーム同期制御装置。
【請求項３】
上記第２のフレーム同期制御手段は、さらに、フレーム同期を確立したときに用いたリファレンスデータから伝送パラメータを選択して出力する伝送パラメータ抽出手段を備えることを特徴とする請求項２記載のフレーム同期制御装置。
【請求項４】
上記第２のフレーム同期制御手段は、誤り訂正を行わずに復号できたときのＴＭＣＣデータを抽出してこれを次回選局時のフレーム同期の相関対象のリファレンスデータとすることを特徴とする請求項２記載のフレーム同期制御装置。
【請求項５】
上記相関計算手段は、１つの相関器でタイミング制御をかけて、１シンボルデータが入力されるたびに複数回の相関計算を行うことを特徴とする請求項２記載のフレーム同期制御装置。
【請求項６】
上記相関計算手段は、１シンボルデータが入力されるたびに複数の相関器で相関計算を行うことを特徴とする請求項２記載のフレーム同期制御装置。
【請求項７】
上記相関計算手段は、ＴＭＣＣ情報フレームの末尾に当たるパリティと受信データとの相関を計算する相関計算部を備えることを特徴とする請求項２記載のフレーム同期制御装置。
【請求項８】
上記フレーム同期判定手段は、上記相関計算手段により算出された相関値を評価することでフレーム同期判定を行い、フレーム同期判定結果とフレームの規則性を考慮したフレーム同期確立を行うことを特徴とする請求項２記載のフレーム同期制御装置。
【請求項９】
上記フレーム同期判定手段は、上記相関計算手段により算出された相関値を閾値以上であったら、ＴＭＣＣ情報フレームの区切りとみなしフレーム同期を確立することを特徴とする請求項２記載のフレーム同期制御装置。
【請求項１０】
上記フレーム同期判定手段は、複数間相関結果を記憶しておき、その中で相関結果が最大となったシンボルタイミングをフレームの先頭位置とすることを特徴とする請求項２記載のフレーム同期制御装置。
【請求項１１】
上記第２のフレーム同期制御手段によるフレーム同期が確立されるまでの間、上記リファレンスデータ保持手段に保持されたリファレンスデータを伝送パラメータとして出力する伝送パラメータ出力手段を備えることを特徴とする請求項２記載のフレーム同期制御装置。
【請求項１２】
上記リファレンスデータ保持手段は、現在の階層構成及び伝送パラメータを示すカレント情報が与えられ、上記カレント情報からリファレンスデータをエンコードして保持するエンコード機能を備えることを特徴とする請求項１記載のフレーム同期制御装置。
【請求項１３】
上記リファレンスデータ保持手段は、現在の階層構成及び伝送パラメータを示すカレント情報が与えられ、上記カレント情報からリファレンスデータをエンコードして保持するエンコード機能を備えることを特徴とする請求項１記載のフレーム同期制御装置。
【請求項１４】
上記リファレンスデータ保持手段は、現在の階層構成及び伝送パラメータを示すカレント情報と切り替え後の伝送パラメータを示すネクスト情報が与えられ、上記カレント情報とネクスト情報からリファレンスデータをエンコードして保持するエンコード機能を備え、上記ネクスト情報としてカレント情報のコピー又は固定値（オール１）が選択的に与えられることを特徴とする請求項１記載のフレーム同期制御装置。
【請求項１５】
受信したデジタル放送信号から復調したＴＭＣＣデータから同期ワードを検出してフレーム同期を確立する第１のフレーム同期制御と、  
上記受信したデジタル放送信号から復調したＴＭＣＣデータと予想されるＴＭＣＣ情報の少なくとも一部の１つ以上のリファレンスデータとの相関を求めてフレーム同期を確立する第２のフレーム同期制御を行い、
上記第１のフレーム同期制御によるフレーム同期が確立された時点で、上記第２のフレーム同期制御から上記第１のフレーム同期制御に切り換えることを特徴とするフレーム同期制御方法。
【発明の詳細な説明】
【技術分野】
【０００１】
本発明は、直交周波数分割多重（ＯＦＤＭ）信号から伝送データ系列を復調する際に用いて好適なフレーム同期制御装置及びフレーム同期制御方法に関する。
【背景技術】
【０００２】
デジタルデータを変調する方式として、直交周波数分割多重（Orthogonal Frequency Division Multiplexing；ＯＦＤＭ）方式（以下、ＯＦＤＭ方式という。）と呼ばれる変調方式が知られている。
【０００３】
ＯＦＤＭ方式とは、伝送帯域内に多数の直交する副搬送波（サブキャリア）を設け、各サブキャリアの振幅及び位相にＰＳＫ（Phase Shift Keying）やＱＡＭ（Quadrature Amplitude Modulation）によりデータを割り当てて、デジタル変調する方式である。ＯＦＤＭ方式は、多数のサブキャリアで伝送帯域を分割するため、サブキャリア１波あたりの帯域は狭くなり変調速度は遅くなるが、トータルの伝送速度は、従来の変調方式と変わらないという特徴を有している。また、ＯＦＤＭ方式は、多数のサブキャリアが並列に伝送されるのでシンボル速度が遅くなり、シンボルの時間長に対する相対的なマルチパスの時間長を短くすることができ、マルチパス妨害を受けにくくなるという特徴を有している。また、ＯＦＤＭ方式は、複数のサブキャリアに対してデータの割り当てが行われることから、変調時には逆フーリエ変換を行うＩＦＦＴ（Inverse Fast Fourier Transform）演算回路、復調時にはフーリエ変換を行うＦＦＴ（Fast Fourier Transform）演算回路を用いることにより、送受信回路を構成することができるという特徴を有している。
【０００４】
ＯＦＤＭ方式は、マルチパス妨害の影響を強く受ける地上波デジタル放送に適用されることが多い。ＯＦＤＭ方式を採用した地上波デジタル放送としては、例えば、ＩＳＤＢ-ＴＳＢ（Integrated Services Digital Broadcasting -Terrestrial Sound Broadcasting）といった規格がある（非特許文献１を参照）。
【０００５】
ここで、ＩＳＤＢ−ＴＳＢ規格では、現在用いられている変調方式の種別、誤り訂正の符号化率等に関する情報を受信機に伝える制御信号として、２０４ビットの情報を一単位とした差動ＢＰＳＫ変調された伝送多重制御（TMCC:Transmission and Multiplexing Configuration Control）信号を、ＯＦＤＭシンボル中の所定のサブキャリアに伝送することが規定されている。差動ＢＰＳＫ変調は、伝送するデータ列を差動符号化し、差動符号化した後の情報（０，１）に対してそれぞれ（＋４/３，０）、（−４/３，０）の信号点を持つ複素信号（Ｉ，Ｑ信号）にする変調方式である。
【０００６】
２０４ビットの情報で一単位とされたＴＭＣＣ信号は、先頭から、１ビットの差動変調の基準信号、１６ビットの同期信号、３ビットのセグメント形式識別、１０２ビットのＴＭＣＣ情報、及び、８２ビットのパリティビットで構成されている。基準信号は、差動変調方式の基準振幅及び基準位相となる信号である。同期信号は、２０４ビットの情報単位の先頭位置を示す情報である。具体的には、Ｗ０＝“００１１０１０１１１１０１１１０”と、その反転ワードであるＷ１＝“１１００１０１００００１０００１”とがフレーム単位で交互に挿入されている。
【０００７】
セグメント形式識別は、伝送データが差動変調されているか同期変調されているかを示す情報である。
【０００８】
ＴＭＣＣ情報は、システム情報、伝送パラメータ切り替え指標、緊急警報放送用起動フラグ、カレント情報、ネクスト情報など、受信機の復調と復号動作を補助する情報である。カレント情報は現在の階層構成及び伝送パラメータを示し、ネクスト情報は切り替え後の伝送パラメータを示している。伝送パラメータは、キャリア変調方式（３ビット）、畳み込み符号化率（３ビット）、インターリブ長（３ビット）、セグメント数（４ビット）からなる。
【０００９】
パリティビットは、１０２ビットのＴＭＣＣ情報に対する誤り訂正符号であり、その方式には、差集合巡回符号（２７３，１９１）の短縮符号（１８４，１０２）が採用されている。
【００１０】
また、ＴＭＣＣ信号は、１つのＯＦＤＭシンボルに対して１ビットの情報が変調されている。そのため、２０４ビットで１つの単位とされたＴＭＣＣ信号は、２０４ＯＦＤＭシンボル毎に伝送される。ＩＳＤＢ−ＴＳＢ規格では、このＴＭＣＣ信号を伝送する単位をＯＦＤＭフレームと呼んでいる。
【００１１】
したがって、ＩＳＤＢ−ＴＳＢ規格に対応したＯＦＤＭ受信装置では、受信した送信波を復調するために、まず、ＴＭＣＣ信号内の同期信号を検出してＯＦＤＭフレームの同期を取り、続いて、ＴＭＣＣ信号内のＴＭＣＣ情報を検出して各種設定情報を取り出し、装置の各種復調設定を行った後に、実体情報の復調が開始される。
【００１２】
【非特許文献１】「地上デジタル音声放送用受信装置  標準規格（望ましい仕様）  ＡＲＩＢ  ＳＴＤ-Ｂ３０」，社団法人電波産業界
【特許文献１】特開２００１−１３６１５８号公報
【特許文献２】特開平１１−２９８４６７号公報
【発明の開示】
【発明が解決しようとする課題】
【００１３】
ところで、ＩＳＤＢ−ＴＳＢ規格に対応したＯＦＤＭ受信装置では、通常、ＴＭＣＣ信号内の同期ワードを検出してＯＦＤＭフレームの同期が取られるが、フレーム同期保護を安定化するため、従来、同期ワードの検出結果の他に誤り訂正符号の復号結果を用いてフレーム同期保護を行う方法が提案されている（特許文献１，２を参照）。
【００１４】
しかしながら、このような従来のフレーム同期保護制御方法では、例えば同期ワードが検出されず、且つ、誤り訂正に失敗した場合にのみ同期状態から非同期状態に遷移させていたため、誤った同期状態が維持されてしまう場合があり、安定したフレーム同期保護には必ずしも十分なものではなかった。
【００１５】
そこで、本件出願人は、特願２００５−２０７４１６号として、より安定したフレーム同期保護を実現するフレーム同期保護制御装置及びその方法を先に提案している。
【００１６】
しかしながら、上記フレーム同期保護制御装置では、フレーム同期が確立する（フレームの先頭（シンボル番号０）を受信するタイミングでなんらかのフレーム同期が成立したフラグ（以下、フレーム同期フラグ、もしくは単に同期フラグと呼ぶ）を出力する）までに必要なシンボル数（フレーム数）は、最短で４０７シンボル（約２フレーム、１フレームは２０４シンボル）、最長で６１０シンボル（約３フレーム）、平均で５０８．５シンボル（約２．５フレーム）である。フレーム同期が成立しない限り後段処理ができないので、デジタル放送受信装置の動作開始から最終的なデータが正常に出力されるようになるまでの時間にフレーム同期時間は大きく影響する。
【００１７】
本発明の目的は、このような従来の実情に鑑みて提案されたものであり、高速且つ安定に動作するフレーム同期制御装置及びフレーム同期制御方法を提供することにある。
【００１８】
本発明のさらに他の目的、本発明によって得られる具体的な利点は、以下に説明される実施の形態の説明から一層明らかにされる。
【課題を解決するための手段】
【００１９】
上述した目的を達成するために、本発明では、デジタル放送受信装置における、実際の受信制御データとチャンネルの制御情報の複数のリファレンスデータとの相関値を用いて高速なフレーム同期制御を行う。
【００２０】
すなわち、本発明に係るフレーム同期制御装置は、受信したデジタル放送信号から復調した伝送多重制御（TMCC:Transmission and Multiplexing Configuration Control）データを保持するＴＭＣＣデータ保持手段と、上記受信したデジタル放送信号から復調したＴＭＣＣデータと上記ＴＭＣＣデータ保持手段に保持されたＴＭＣＣデータから同期ワードを検出してフレーム同期を確立する第１のフレーム同期制御手段と、予想されるＴＭＣＣ情報の少なくとも一部の１つ以上のリファレンスデータを保持するとリファレンスデータ保持手段と、上記ＴＭＣＣデータ保持手段に保持されたＴＭＣＣデータと上記リファレンスデータ保持手段に保持されたリファレンスデータとの相関を求めてフレーム同期を確立する第２のフレーム同期制御手段と、上記第１のフレーム同期制御手段によるフレーム同期が確立された時点で、上記第２のフレーム同期制御手段による同期制御から上記第１のフレーム同期制御手段に同期制御から切り換える同期制御切換手段とを備えることを特徴とする。
【００２１】
また、本発明に係るフレーム同期制御方法は、受信したデジタル放送信号から復調したＴＭＣＣデータから同期ワードを検出してフレーム同期を確立する第１のフレーム同期制御と、上記受信したデジタル放送信号から復調したＴＭＣＣデータと予想されるＴＭＣＣ情報の少なくとも一部の１つ以上のリファレンスデータとの相関を求めてフレーム同期を確立する第２のフレーム同期制御を行い、上記第１のフレーム同期制御によるフレーム同期が確立された時点で、上記第２のフレーム同期制御から上記第１のフレーム同期制御に切り換えることを特徴とする。
【発明の効果】
【００２２】
本発明によれば、動作開始時には、受信ＴＭＣＣ情報とリファレンスデータとの相関を用いた第２のフレーム同期制御により即座にフレーム同期の確立を行い、第１のフレーム同期制御により受信したデジタル放送信号から復調したＴＭＣＣデータから同期ワードを検出してフレーム同期が確立したら第１のフレーム同期制御に切り換えることにより、高速に且つ信頼性の高いフレーム同期を行うことができる。
【００２３】
また、相関対象とするシンボル数を増やすことで、よりフレーム同期の信頼性を増すことが可能となり、ノイズレベルが高い状態でも安定してフレーム同期を確立できる。
【００２４】
また、受信するＴＭＣＣ情報を事前に予想し、１つ以上のリファレンスデータを用意することで、送信側でのＴＭＣＣ情報の変更に対しても柔軟に対応できる。
【００２５】
また、通常、受信したＴＭＣＣ情報は選局したチャンネルに応じて異なるが、受信したＴＭＣＣ情報をそのまま外部制御部へ出力することにより、外部制御部は次回同チャンネルの選局時にこのＴＭＣＣ情報をリファレンスデータとして入力することができる。このとき、受信したＴＭＣＣ情報中の差集合巡回符号化により誤り保護されている部分に誤りがあった場合、次回選局時のリファレンスデータとして適当でないＴＭＣＣ情報を出力することになるので、受信したＴＭＣＣ情報に対し、復号部で復号時に誤り訂正を行わなかったというフラグが成立したときのみＴＭＣＣ情報を出力することが望ましい。
【００２６】
さらに、受信ＴＭＣＣ情報とリファレンスデータとの相関を用いたフレーム同期方式は、誤りの入った受信ＴＭＣＣ情報に対して相関値が低くなることが予想され、また、受信ＴＭＣＣ情報がリファレンスデータのどれにも合致しないような場合、フレーム同期の確立が困難、もしくは不可能になるので、従来のフレーム同期制御方式のような、同期ワードを検出する、差集合巡回復号化に成功するなどを条件としたより信頼性のあるフレーム同期の確立を行う方式と併用することが望ましい。こうすることで、動作開始時には、受信ＴＭＣＣ情報とリファレンスデータとの相関を用いたフレーム同期方式を用いて即座にフレーム同期の確立を行い、従来方式でフレーム同期が成立したら従来方式に切り換えることにより、高速であり、且つ信頼性の高いフレーム同期を行うことができる。
【発明を実施するための最良の形態】
【００２７】
以下、本発明の実施の形態について、図面を参照して詳細に説明する。なお、本発明は以下の例に限定されるものではなく、本発明の要旨を逸脱しない範囲で、任意に変更可能であることはいうまでもない。
【００２８】
以下、本発明の実施の形態として、本発明を適用したＩＳＤＢ−Ｔ規格のＯＦＤＭ受信装置について説明をする。
【００２９】
本発明は、例えば図１に示すような構成のＯＦＤＭ受信装置１０に適用される。
【００３０】
図１に示すＯＦＤＭ受信装置１０は、アンテナ１１と、チューナ１２と、バンドパスフィルタ（ＢＰＦ）１３と、Ａ/Ｄ変換回路１４と、ＤＣキャンセル回路１５と、デジタル直交復調回路１６と、ＦＦＴ演算回路１７と、フレーム検出/伝送制御情報復号回路１８と、同期回路１９と、キャリア復調回路２０と、周波数デインタリーブ回路２１と、時間デインタリーブ回路２２と、デマッピング回路２３と、ビットデインタリーブ回路２４と、デパンクチャ回路２５と、ビタビ復号回路２６と、バイトデインタリーブ回路２７と、拡散信号除去回路２８と、トランスポートストリーム生成回路２９と、ＲＳ復号回路３０と、チャンネル選択回路３１とを備えている。
【００３１】
ＯＦＤＭ送信装置から送信された送信波は、ＯＦＤＭ受信装置１０のアンテナ１１により受信され、ＲＦ信号としてチューナ１２に供給される。
【００３２】
アンテナ１１により受信されたＲＦ信号は、乗算器１２ａ及び局部発振器１２ｂからなるチューナ１２によりＩＦ信号に周波数変換され、ＢＰＦ１３に供給される。局部発振器１２ｂから発振される受信キャリア信号の発振周波数は、チャンネル選択回路３１から供給されるチャンネル選択信号に応じて切り換えられる。
【００３３】
チューナ１２から出力されたＩＦ信号は、ＢＰＦ１３によりフィルタリングされた後、Ａ/Ｄ変換回路１４によりデジタル化される。デジタル化されたＩＦ信号は、ＤＣキャンセル回路１５によりＤＣ成分が除去され、デジタル直交復調回路１６に供給される。
【００３４】
デジタル直交復調回路１６は、所定の周波数（キャリア周波数）のキャリア信号を用いて、デジタル化されたＩＦ信号を直交復調し、ベースバンドのＯＦＤＭ信号を出力する。ベースバンドのＯＦＤＭ信号は、直交復調された結果、実軸成分（Ｉチャンネル信号）と、虚軸成分（Ｑチャンネル信号）とから構成される複素信号となる。デジタル直交復調回路１６から出力されるベースバンドのＯＦＤＭ信号は、ＦＦＴ演算回路１７及び同期回路１９に供給される。
【００３５】
ＦＦＴ演算回路１７は、ベースバンドのＯＦＤＭ信号に対してＦＦＴ演算を行い、各サブキャリアに直交変調されている信号を抽出して出力する。ＦＦＴ演算回路１７は、１つのＯＦＤＭシンボルから有効シンボル長分の信号を抜き出し、抜き出した信号に対してＦＦＴ演算を行う。すなわち、ＦＦＴ演算回路１７は、１つのＯＦＤＭシンボルからガードインターバル長分の信号を除き、残った信号に対してＦＦＴ演算を行う。
【００３６】
ＦＦＴ演算回路１７により抽出された各サブキャリアに変調されていた信号は、実軸成分（Ｉチャンネル信号）と虚軸成分（Ｑチャンネル信号）とから構成される複素信号である。ＦＦＴ演算回路１７により抽出された信号は、フレーム検出/伝送制御情報復号回路１８、同期回路１９及びキャリア復調回路２０に供給される。
【００３７】
フレーム検出/伝送制御情報復号回路１８は、ＦＦＴ演算回路１７により復調された信号の所定のサブキャリアからＴＭＣＣ信号を抽出し、ＴＭＣＣ信号から同期信号を検出してＯＦＤＭフレームの境界を検出し、検出したフレームの境界位置を表すフレーム同期信号を同期回路１９等に供給する。また、フレーム検出/伝送制御情報復号回路１８は、同期を取った後のＴＭＣＣ信号に含まれるＴＭＣＣ情報（伝送制御情報）を差集合巡回符号で誤り訂正復号する。フレーム検出/伝送制御情報復号回路１８は、復号したＴＭＣＣ情報を、キャリア復調回路２０、時間デインタリーブ回路２２、デマッピング回路２３、ビットデインタリーブ回路２４、及び、トランスポートストリーム生成回路２９に供給して、各回路の復調や再生等の制御を行う。
【００３８】
同期回路１９は、ベースバンドのＯＦＤＭ信号、ＦＦＴ演算回路１７により復調された後の各サブキャリアに変調されていた信号、ＯＦＤＭシンボルの境界、チャンネル選択回路３１から供給されるチャンネル選択信号等を用いて、ＦＦＴ演算回路１７に対してＦＦＴ演算の演算範囲及びそのタイミング等の同期処理等の各種の同期処理を行う。
【００３９】
キャリア復調回路２０は、ＦＦＴ演算回路１７から出力された各サブキャリアから復調された後の信号が供給され、その信号に対してキャリア復調を行う。具体的には、キャリア復調回路２０は、差動変調信号（ＤＱＰＳＫ）に対する差動復調処理、及び、同期変調信号（ＱＰＳＫ、１６ＱＡＭ、６４ＱＡＭ）に対する等化処理を行う。
【００４０】
キャリア復調された信号は、周波数デインタリーブ回路２１によって周波数方向のデインタリーブ処理がされ、続いて、時間デインタリーブ回路２２によって時間方向のデインタリーブ処理がされた後、デマッピング回路２３に供給される。
【００４１】
デマッピング回路２３は、キャリア復調された信号（複素信号）に対してデータの再割付処理（デマッピング処理）を行い、伝送データ系列を復元する。例えばＩＳＤＢ-ＴＳＢ規格のＯＦＤＭ信号を復調する場合であれば、デマッピング回路２３は、ＱＰＳＫ、１６ＱＡＭ又は６４ＱＡＭに対応したデマッピング処理を行う。
【００４２】
デマッピング回路２３から出力された伝送データ系列は、ビットデインタリーブ回路２４、デパンクチャ回路２５、ビタビ復号回路２６、バイトデインタリーブ回路２７、拡散信号除去回路２８を通過することにより、多値シンボルの誤り分散のためのビットインタリーブに対応したデインタリーブ処理、伝送ビットの削減のためのパンクチャリング処理に対応したデパンクチャリング処理、畳み込み符号化されたビット列の復号のためのビタビ復号処理、バイト単位でのデインタリーブ処理、エネルギ拡散処理に対応したエネルギ逆拡散処理が行われ、トランスポートストリーム生成回路２９に入力される。
【００４３】
トランスポートストリーム生成回路２９は、例えばヌルパケット等の各放送方式で規定されるデータを、ストリームの所定の位置に挿入する。また、トランスポートストリーム生成回路２９は、断続的に供給されてくるストリームのビット間隔を平滑化して時間的に連続したストリームとする、いわゆるスムージング処理を行う。スムージング処理がされた伝送データ系列は、ＲＳ復号回路３０に供給される。
【００４４】
ＲＳ復号回路３０は、入力された伝送データ系列に対してリードソロモン復号処理を行い、ＭＰＥＧ-２システムズで規定されたトランスポートストリームとして出力する。
【００４５】
つぎに、フレーム検出/伝送制御情報復号回路１８についてさらに説明する。
【００４６】
図２に、フレーム検出/伝送制御情報復号回路１８のブロック構成図を示す。
【００４７】
このフレーム検出/伝送制御情報復号回路１８は、図２に示すように、上記ＦＦＴ演算回路１７からＴＭＣＣ信号（Ｉ，Ｑ信号）が供給される復調部４０、上記復調部４０により復調されたＴＭＣＣ信号が供給されるＴＭＣＣデータ保持部４４、外部制御部４６からリファレンスデータが供給されるリファレンスデータ保持部４８、上記復調部４０により復調されたＴＭＣＣデータが直接及び上記ＴＭＣＣデータ保持部４４を介して供給される第１のフレーム同期制御部５０、上記復調部４０により復調されたＴＭＣＣ信号が上記ＴＭＣＣデータ保持部４４を介して供給されるとともに上記外部制御部４６からリファレンスデータが上記リファレンスデータ保持部４８を介して供給される上記第２のフレーム同期制御部６０、上記第１のフレーム同期制御部５０と第２のフレーム同期制御部６０によりそれぞれ生成された同期信号を切り換えるセレクタ７１及び伝送パラメータを選択的に出力するセレクタ７２を備えるセレクタブロック７０などからなる。
【００４８】
上記復調部４０は、図３に示すように、上記ＦＦＴ演算回路１７からＴＭＣＣ信号（Ｉ，Ｑ信号）が入力される差動復調回路４１とビット判定回路４２からなる。上記差動復調回路４１は、入力されたＴＭＣＣ信号を差動復調し、元の情報ビットに対応した信号点の複素信号（Ｉ，Ｑ信号）を生成する。差動復調された信号（Ｉ，Ｑ信号）は、ビット判定回路４２に供給される。ビット判定回路４２は、差動復調された信号（Ｉ，Ｑ信号）に基づきビット判定を行う。すなわち、差動復調された信号のＩＱ平面上の信号点から変調されている値が“０”又は“１”のいずれであるかを判定し、いずれか一方のビット値を出力する。したがって、ビット判定回路４２からは、ビットストリーム化されたＴＭＣＣ信号が出力されることとなる。
【００４９】
上記復調部４０のビット判定回路４２から出力されるビットストリーム化されたＴＭＣＣ信号は、第１のフレーム同期制御部５０に直接供給されるとともに、ＴＭＣＣデータ保持部４４を介して上記第１のフレーム同期制御部５０及び第２のフレーム同期制御部６０に供給される。
【００５０】
上記第１のフレーム同期制御部５０は、受信したデジタル放送信号から上記復調部４０により復調したＴＭＣＣデータと上記ＴＭＣＣデータ保持部４４に保持されたＴＭＣＣデータから同期ワードを検出してフレーム同期を確立するものであって、例えば、図４に示すように、上記復調部４０のビット判定回路４２から出力されるビットストリーム化されたＴＭＣＣ信号が直接入力されるフレーム同期判定回路５１、このフレーム同期判定回路５１の判定出力が供給される同期位置記憶部５２及び比較回路５３、上記復調部４０のビット判定回路４２から出力されるビットストリーム化されたＴＭＣＣ信号が上記ＴＭＣＣデータ保持部４４を介して供給される不整合信号判定部５４及び誤り訂正回路５５、上記比較回路５３、不整合信号判定部５４及び誤り訂正回路５５の出力が供給される同期制御回路５６などからなる。
【００５１】
上記第１のフレーム同期制御部５０において、フレーム同期判定回路５１は、ビットストリーム化されたＴＭＣＣ信号に含まれている同期ワードを検出して、ＯＦＤＭフレームの同期位置を検出する。具体的には、フレーム同期判定回路５１は、まず、ビットストリーム化されたＴＭＣＣ信号と、同期ワード（Ｗ０，Ｗ１）との相関演算を行う。すなわち、同期ワード（Ｗ０，Ｗ１）と、ビットストリーム内の各位置における１６ビット幅のデータ列との相関値を逐次算出する。この相関値は、同期ワード（Ｗ０，Ｗ１）と、ビット列とが一致すれば最も高くなるような値である。つぎに、フレーム同期判定回路５１は、算出した相関値が最大となったタイミングを表す同期位置を検出する。検出した同期位置は、同期位置記憶部５２、比較回路５３、及び、ＴＭＣＣデータ保持部４４に供給される。
【００５２】
同期位置記憶部５２は、フレーム同期判定回路５１で検出された同期位置を記憶保持する。次のＯＦＤＭフレームの同期位置がフレーム同期判定回路５１から供給されると、同期位置記憶部５２は、保持していた同期位置を上記ＴＭＣＣデータ保持部４４に供給する。
【００５３】
比較回路５３は、フレーム同期判定回路５１から供給されたあるＯＦＤＭフレームの同期位置と、同期位置記憶部５２から供給された１ＯＦＤＭフレーム前の同期位置とを比較し、同期位置が一致しているか否かを検出する。比較回路５３は、この検出結果に基づき、同期位置が一致している場合には“ＯＫ”、一致していない場合には“ＮＧ”を示す同期判定信号を同期制御回路５６に出力する。
【００５４】
ここで、上記ＴＭＣＣデータ保持部４４は、ＤＢＰＳＫ変調されたＴＭＣＣキャリアを上記復調部４０で復調したＴＭＣＣデータを保持する手段として機能するもので、例えばシフトレジスタにて構成される。上記ＴＭＣＣデータ保持部４４を構成するシフトレジスタは、上記第１のフレーム同期制御部５０を機能させるために必要な情報量を確保するために、例えばシフトレジスタ長が２２０ｂｉｔあり、第２のフレーム同期制御部６０の機能を実現するために用いられる情報量は２０３ｂｉｔ（１フレーム）である。
【００５５】
上記復調部４０はシンボル単位で出力されるＴＭＣＣデータをビットシリアルにシフトレジスタ構成されたＴＭＣＣデータ保持部４４へ入力する。各レジスタに保持されたＴＭＣＣデータを抽出し、これを相関計算部６１へ入力している。入力データは、相関に必要な分（実装では２０３ｂｉｔ）だけでよいが、実装上シフトレジスタに保持されているすべてのデータを渡して相関計算部６１で必要な分を選別している。
【００５６】
上記ＴＭＣＣデータ保持部４４は、シフトレジスタの代わりにＲＡＭを用いて構成することもできる。
【００５７】
上記ＴＭＣＣデータ保持部４４は、上記フレーム同期判定回路５１において同期位置の検出に要する時間だけＴＭＣＣ信号（ビットストリーム）を遅延し、且つ、フレーム同期判定回路５１から供給された同期位置により同期が取られたＴＭＣＣ信号を不整合信号判定部５４及び誤り訂正回路５５に供給する。
【００５８】
不整合信号判定部５４は、ビットストリーム化されたＴＭＣＣ信号がシステム上起こり得ない信号であるか否かを判定する。不整合信号判定部５４は、この判定結果に基づき、システム上あり得ない信号である場合には“ＮＧ”、そうでない場合には“ＯＫ”を示す不整合判定信号を同期制御回路５６に出力する。例えば、ＴＭＣＣ信号がオール０である場合には、信号断等の可能性が高いため、不整合信号判定部５４は、“ＮＧ”を示す不整合判定信号を同期制御回路５６に出力する。
【００５９】
誤り訂正回路５５は、ビットストリーム化されたＴＭＣＣ信号に含まれるＴＭＣＣ情報を差集合巡回符号で誤り訂正復号し、復号したＴＭＣＣ情報をキャリア復調回路２０等に出力する。また、誤り訂正回路５５は、誤り訂正の成否を表す誤り訂正成否信号を同期制御回路５６に出力する。誤り訂正成否信号は、誤り訂正に成功すれば“ＯＫ”、失敗すれば“ＮＧ”を示す。
【００６０】
同期制御回路５６は、同期判定信号、不整合判定信号、及び、誤り訂正成否信号に基づき、フレーム同期信号の出力及び同期確立情報の出力を制御する。フレーム同期信号は、ＯＦＤＭフレームの先頭位置のタイミングで“Ｈ”（ハイ）となり、その他のタイミングでは“Ｌ”（ロー）となるような、ＯＦＤＭフレームの境界位置を周期的に発生するフラグである。同期制御回路５６は、あるトリガが与えられると、最初のフラグを発生し（フラグを“Ｈ”（ハイ）とし）、以後は例えば動作クロック等をカウントしていくことにより周期的にフラグを発生して、フレーム同期信号を生成していく。また、同期確立情報は、フレーム同期信号が受信信号に同期している否かを外部回路に通知するための情報、すなわち、フレーム同期が確立しているか否かを示す情報である。同期確立情報は、フレーム同期が確立していれば“ＯＫ”、確立していなければ“ＮＧ”を示す。
【００６１】
同期制御回路５６では、図５に示すような状態遷移図を有するステートマシーン８０により、フレーム同期信号の出力及び同期確立情報の出力を制御する。以下、このステートマシーン８０について説明する。
【００６２】
状態０〜状態２は、ＯＦＤＭフレームの同期が確立していない後方保護状態である。同期制御回路５６は、状態０〜状態２のときには、フレーム同期信号を出力せず、さらに、同期確立信号を“ＮＧ”としてフレーム同期が確立していないことを外部に通知する。
【００６３】
状態３は、同期が確立している完全同期状態である状態３（０，０）と、同期が確立している前方保護状態である状態３（０，１）、状態３（０，２）、状態３（１，０）、状態３（２，０）、状態３（１，１）とからなる。この状態３では、図５に示すように、同期保護段数２、誤り保護段数２の略三角形状の状態遷移図にしたがって状態が遷移する。同期制御回路５６は、状態３のときには、フレーム同期信号を出力し、さらに、同期確立信号を“ＯＫ”としてフレーム同期が確立していることを外部に通知する。
【００６４】
ステートマシーン８０では、図６のフローチャートに示すような条件により、状態０〜状態３の各状態間の遷移を行う。
【００６５】
まず、ステートマシーン８０は、同期制御回路５６がリセットされると、初期状態である状態０に遷移する（ステップＳ１）。そして、フレーム同期判定回路４３に１ＯＤＦＭフレーム分のビットが蓄積されると（ステップＳ２）、相関値計算状態である状態１に遷移する（ステップＳ３）。
【００６６】
つぎに、フレーム同期判定回路５１が相関値を計算し、相関値の最大値を検出すると（ステップＳ４）、ステートマシーン８０は、同期引き込み状態である状態２に遷移する（ステップＳ５）。この際、ＴＭＣＣデータ保持部４４は、ＯＤＦＭフレームの先頭位置を相関値が最大となる位置までシフトさせることによりＯＤＦＭフレームの同期を取る（ステップＳ６）。
【００６７】
状態２のときに、ステートマシーン８０は、不整合判定信号及び誤り訂正成否信号を判別する（ステップＳ７，８）。ステートマシーン８０は、誤り訂正成否信号が“ＮＧ”を示しているか、誤り訂正成否信号は“ＯＫ”を示しているものの不整合判定信号が“ＮＧ”を示している場合には、再び状態１に遷移する。一方、誤り訂正成否信号及び不整合判定信号のいずれも“ＯＫ”を示している場合には、完全同期状態である状態３（０，０）に遷移し、ＴＭＣＣ情報を出力する（ステップＳ９）。
【００６８】
続いて、フレーム同期判定回路５１が相関値を計算し、相関値の最大値を検出すると（ステップＳ１０）、ステートマシーン８０は、同期判定信号及び誤り訂正成否信号を判別する（ステップＳ１１，１３）。ステートマシーン８０は、同期判定信号が“ＮＧ”を示している場合には、第１の計数値である同期保護段数に１を加算し、誤り訂正成否信号が“ＮＧ”を示している場合には、第２の計数値である誤り保護段数に１を加算する（ステップＳ１２，１４）。
【００６９】
その後、ステートマシーン８０は、同期保護段数と誤り保護段数との重み付け和である前方保護段数を計算し（ステップＳ１５）、その前方保護段数を閾値と比較することにより、保護範囲内であるか否かを判別する（ステップＳ１６）。この閾値は、重み付け和が閾値以下である場合には、対応する状態が状態３の中に存在し、重み付け和が閾値よりも大きい場合には、対応する状態が状態３の中に存在しないような値に設定される。ステートマシーン８０は、判別の結果、状態２のときに、ステートマシーン８０は、不整合判定信号及び誤り訂正成否信号を判別する（ステップＳ６，７）。ステートマシーン８０は、誤り訂正成否信号が“ＮＧ”を示しているか、誤り訂正成否信号は“ＯＫ”を示しているものの不整合判定信号が“ＮＧ”を示している場合には、再び状態１に遷移する。一方、誤り訂正成否信号及び不整合判定信号のいずれも“ＯＫ”を示している場合には、完全同期状態である状態３（０，０）に遷移する（ステップＳ９）。
【００７０】
続いて、フレーム同期判定回路５１が相関値を計算し、相関値の最大値を検出すると（ステップＳ１０）、ステートマシーン５０は、同期判定信号及び誤り訂正成否信号を判別する（ステップＳ１１，１３）。ステートマシーン８０は、同期判定信号が“ＮＧ”を示している場合には、第１の計数値である同期保護段数に１を加算し、誤り訂正成否信号が“ＮＧ”を示している場合には、第２の計数値である誤り保護段数に１を加算する（ステップＳ１２，１４）。
【００７１】
その後、ステートマシーン８０は、同期保護段数と誤り保護段数との重み付け和である前方保護段数を計算し（ステップＳ１５）、その前方保護段数を閾値と比較することにより、保護範囲内であるか否かを判別する（ステップＳ１６）。この閾値は、重み付け和が閾値以下である場合には、対応する状態が状態３の中に存在し、重み付け和が閾値よりも大きい場合には、対応する状態が状態３の中に存在しないような値に設定される。ステートマシーン８０は、判別の結果、保護範囲内である場合には現在の同期保護段数及び誤り保護段数に対応した状態に遷移する。すなわち、現在の同期保護段数がｉ、誤り保護段数がｊである場合には、状態３（ｉ，ｊ）に遷移する。一方、保護範囲内でない場合、すなわち、現在の同期保護段数ｉ、誤り保護段数ｊに対応した状態３（ｉ，ｊ）が存在しない場合には、同期を外して状態１に遷移する。
【００７２】
なお、状態３の各状態において、同期判定信号及び誤り訂正成否信号の双方が“ＯＫ”を示している場合には、同期保護段数及び誤り保護段数を０に初期化し、完全同期状態である状態３（０，０）に遷移する。
【００７３】
保護範囲内である場合には現在の同期保護段数及び誤り保護段数に対応した状態に遷移する。すなわち、現在の同期保護段数がｉ、誤り保護段数がｊである場合には、状態３（ｉ，ｊ）に遷移する。一方、保護範囲内でない場合、すなわち、現在の同期保護段数ｉ、誤り保護段数ｊに対応した状態３（ｉ，ｊ）が存在しない場合には、同期を外して状態１に遷移する。
【００７４】
なお、状態３の各状態において、同期判定信号及び誤り訂正成否信号の双方が“ＯＫ”を示している場合には、同期保護段数及び誤り保護段数を０に初期化し、完全同期状態である状態３（０，０）に遷移する。さらに、誤り訂正正否信号がＯＫ”を示しているため、ＴＭＣＣ情報を更新する。
【００７５】
以上のように、同期制御回路５６内のステートマシーン８０では、同期保護段数と誤り保護段数とを独立に設定し、前方同期保護制御を行っている。
【００７６】
ここで、上述したステートマシーン８０では、同期保護段数と誤り保護段数とをそれぞれ２段に設定したが、ＯＦＤＭフレームのフレーム構造の強さや誤り訂正の能力に応じて、それぞれ任意の段数に設定することができる。これにより、同期制御回路５６は、より安定したフレーム同期保護を実現することができる。また、ＯＦＤＭ受信装置１０の受信状態、ビット誤り率、或いは固定受信・移動受信の別によって、同期保護段数及び誤り保護段数を可変にすることで、さらに安定したフレーム同期保護を実現することができる。
【００７７】
なお、上述の説明では、状態３の各状態間の制御において、同期判定信号及び誤り訂正成否信号のいずれか一方のみが“ＯＫ”を示している場合には状態を遷移させないものとしたが、同期判定信号及び誤り訂正成否信号の内、“ＯＫ”を示した方の保護段数から１を減算し、対応する状態に遷移するようにしてもよい。
【００７８】
ここで、フレーム同期制御では、毎シンボルＴＭＣＣデータが入力されるが、どのシンボルがフレームの先頭（シンボル番号＝０）であるかを判定し、また、どのようなＴＭＣＣ情報を受信したかを判定する。これらが両方成立したとき、「フレーム同期を確立した」と呼ぶ。
【００７９】
上記第１のフレーム同期制御部５０では、信頼性の高いフレーム同期を行うことができるが、フレーム同期が確立するまでに時間が掛かる。フレーム同期が確立する（フレームの先頭（シンボル番号０）を受信するタイミングでなんらかのフレーム同期が成立したフラグ（以下、フレーム同期フラグ、もしくは単に同期フラグと呼ぶ）を出力する）までに必要なシンボル数（フレーム数）は、最短で４０７シンボル（約２フレーム、１フレームは２０４シンボル）、最長で６１０シンボル（約３フレーム）、平均で５０８．５シンボル（約２．５フレーム）である。フレーム同期が成立しない限り後段処理ができないので、デジタル放送受信装置の動作開始から最終的なデータが正常に出力されるようになるまでの時間にフレーム同期時間は大きく影響する。
【００８０】
そこで、このフレーム検出/伝送制御情報復号回路１８では、第２のフレーム同期制御部６０により、相関を用いて高速にフレーム同期を行うにしている。
【００８１】
すなわち、予想されるＴＭＣＣ情報の少なくとも一部の１つ以上のリファレンスデータを保持するとリファレンスデータ保持部４８に保持しておき、上記ＴＭＣＣデータ保持部４４に保持されたＴＭＣＣデータと上記リファレンスデータ保持部４８に保持されたリファレンスデータとの相関を第２のフレーム同期制御部６０により求めてフレーム同期を高速に行い、上記第２のフレーム同期制御部６０によるフレーム同期が確立された時点で、上記セレクタブロック７０のセレクタ７１により上記第１のフレーム同期制御部４０による同期制御から上記第２のフレーム同期制御部６０によるに同期制御から切り換える。
【００８２】
上記第２のフレーム同期制御部６０は、図７に示すように、上記復調部４０により復調されたＴＭＣＣ信号が上記ＴＭＣＣデータ保持部４４を介して供給されるとともに上記外部制御部４６からリファレンスデータが上記リファレンスデータ保持部４８を介して供給される相関計算部６１、この相関計算部６１の出力が供給されるフレーム同期判定部６２、このフレーム同期判定部６２の出力及び上記外部制御部４６からのリファレンスデータが上記リファレンスデータ保持部４８を介して供給される伝送パラメータ選択部６３などからなる。
【００８３】
ここで、上記ＴＭＣＣデータ保持部４４では、上記復調部４０により復調されたＴＭＣＣデータが１シンボル入力されるたびにデータをシフトし、シンボル毎のＴＭＣＣデータが保持される。
【００８４】
また、上記リファレンスデータ保持部４８は、予想されるＴＭＣＣ情報の少なくとも一部の１つ以上のリファレンスデータを保持するものであって、例えば、３つのリファレンス（ｈｏｓｔ＿ｔｍｃｃ＿ｂｉｔｓｅｑ，  ｃａｎｄ１＿ｔｍｃｃ＿ｂｉｔｓｅｑ，ｃａｎｄ２＿ｔｍｃｃ＿ｂｉｔｓｅｑ，  いずれも１８７ｂｉｔ）を保持している。ｈｏｓｔ＿ｔｍｃｃ＿ｂｉｔｓｅｑは、受信装置起動時に毎回ホスト（外部制御部４６）が設定することを想定する。ｃａｎｄ１＿ｔｍｃｃ＿ｂｉｔｓｅｑ，ｃａｎｄ２＿ｔｍｃｃ＿ｂｉｔｓｅｑは、ｈｏｓｔ＿ｔｍｃｃ＿ｂｉｔｓｅｑが受信したＴＭＣＣデータとの合致しなかった場合、すなわち、相関値が低かった場合に備え、通常運用されている（されると予想される）ＴＭＣＣ情報をデフォルトで保持（ホストで再設定可）したデータである。個々のリファレンスデータの具体的な中身は、フレームの先頭に配置されている差動基準１ｂｉｔ、同期ワード１６ｂｉｔを除いたすべてのＴＭＣＣ情報フレームである。同期ワードは既知情報であるためリファレンスに含める必要はない。相関計算部６１では、データのどの部分との相関を取るかを選べるように設定できるが、この設定次第では、必ずしも１８７ｂｉｔすべてを設定する必要はない。例えば、通常予想されるカレント情報のみの設定でも十分効果が得られるが、ＴＭＣＣ情報フレームの末尾のパリティに相当する部分を設定することにより、ＴＭＣＣデータの入力開始がフレームのどの位置から行われても、ほぼ１フレームを受信するまでにフレーム同期を確立することができる。正確には、フレームの末尾の相関に用いる情報量に依存する。実装では情報量がデフォルト１６ｂｉｔで許容誤り０、すなわち１６ｂｉｔすべてが合致したら同期したとみなす設定となっている。ホストが値を設定できるレジスタモジュールから相関計算部６１へ入力することによって、上記相関計算部６１で計算に必要な情報を適宜選別している。
【００８５】
なお、上記第１のフレーム同期制御部４０は、上記リファレンスデータ保持部４８に与えるデータを取得するための機能を備えており、この機能により得られたデータを次回のリファレンスデータとして用いることができる。上記第１のフレーム同期制御部４０において、安定したフレーム同期状態のとき、所望のタイミングでトリガが発動（ｆｓｙｎｃ＿ｗｏｒｄ＿ｃａｐ＿ｅｎ）させ、そこからリファレンスデータとして有効なビット数分だけ、受信したＴＭＣＣデータ（ｒｃｖｄ＿ｔｍｃｃ＿ｂｉｔｓｅｑ）を出力する。このときのトリガをかける主な条件としては、安定同期状態である、ＤＳＣＣ（差集合巡回符号）デコーダーで誤り訂正を行わなかった、である。
【００８６】
そして、上記第２のフレーム同期制御部６０では、図８に示すように、上記ＴＭＣＣデータ保持部４４に上記ＴＭＣＣデータが１シンボル入力されるたびに、相関計算部６１において、リファレンスデータ保持部４８に保持されているリファレンスデータの数だけ相関計算を行い、上記相関計算部６１により算出した相関値が閾値を超えたと判定した時点でフレーム同期判定部６２からフレーム同期信号を出力する。また、フレーム同期が確立したときに用いたリファレンスデータから伝送パラメータを伝送パラメータ選択部６３により抽出して出力する。
【００８７】
この第２のフレーム同期制御部６０では、図９に示すように、上記ＴＭＣＣデータ保持部４４に上記ＴＭＣＣデータが１シンボル入力されるたびに、相関計算部６１において、リファレンスデータ保持部４８に保持されているリファレンスデータの数だけ相関計算を行い、フレーム同期判定部６２で相関値に応じたフレーム制御を行う。なお、すべてのリファレンスデータとの相関を取ってもよい。また、優先順位の高い順に相関を取って、高い相関を検出した時点でフレーム同期を確立したとして、相関計算を終了するようにしてもよい。
【００８８】
ここで、上記第２のフレーム同期制御部６０では、リファレンスデータ保持部４８に複数保持したリファレンスデータと入力されたＴＭＣＣデータとの相関計算からフレーム同期を判定するが、正しいタイミングでフレーム同期フラグを送出できたとしても、伝送パラメータが間違えたものであったら、後段は正しい処理ができないので、伝送パラメータ選択部６３は、相関が取れたときのリファレンスデータの中から、後段に必要な情報（通常はカレント情報）を抜き出し、それを後段に送出する。
【００８９】
すなわち、このＯＦＤＭ受信装置１０では、毎シンボル復調部４０から、ＴＭＣＣデータが第１のフレーム同期制御部５０と第２のフレーム同期制御部６０に入力され、第２のフレーム同期制御部６０では、図１０に示すように、毎シンボルＴＭＣＣデータが入力されるたびに、リファレンスデータ保持部４８とのパターンマッチを相関計算部６１において行い、その相関値が閾値以上であれば、シンボル番号（＝０）が確定、及び受信したＴＭＣＣ情報を確定し、フレーム同期の確定となる。
【００９０】
ここで、相関を用いた同期制御では、例えば図１０に示すように、ノイズにより誤りを生じたシンボル（網掛け処理を施したビット）があったとしても、すなわち、多少ノイズが入ったとしても、相関対象ビット数が十分大きければ、閾値を低めにしても、信頼性の高い同期確立を行うことができる。
【００９１】
一方、第１のフレーム同期制御部５０は、毎シンボル入力されるＴＭＣＣデータに対して同期ワードを検出し、且つ検出した同期ワード位置から予想される、誤り保護がかけられた情報位置で誤り訂正に成功したらフレーム同期を確立している。
【００９２】
通常、上記２つのフレーム同期制御部５０，６０はそのアルゴリズムの特徴から、図１１に示すように、相関を用いた第２のフレーム同期制御部６０によるフレーム同期の確立が速く、動作開始初期はこの第２のフレーム同期制御部６０により生成されたフレーム同期信号、及びＴＭＣＣ情報が出力される。のちに、第１のフレーム同期制御部５０によるフレーム同期が確立し、信頼性の高い第１のフレーム同期制御部５０の出力に切り換える、という動作を行う。
【００９３】
上記リファレンスデータ保持部４８は、２０４ビットの情報で一単位とされたＴＭＣＣ信号（Ｂ０〜Ｂ２０３）から１ビットの差動変調の基準信号（Ｂ０）及び１６ビットの同期信号（Ｂ１〜Ｂ１６）を除いた、３ビットのセグメント形式識別（Ｂ１７〜Ｂ１９）、１０２ビットのＴＭＣＣ情報（Ｂ２０〜Ｂ１２１）、及び、８２ビットのパリティビット（Ｂ１２２〜Ｂ２０３）からなる１８７ビット（Ｂ１７〜Ｂ２０３）のリファレンスデータが外部制御部４６から与えられる場合には、上記リファレンスデータをそのまま保持するが、上記リファレンスデータ保持部４８にエンコーダの機能を搭載することにより、例えば、１８７ビット（Ｂ１７〜Ｂ２０３）のリファレンスデータのうちの８２ビットのパリティビット（Ｂ１２２〜Ｂ２０３）を除き、ＴＭＣＣ情報（Ｂ２０〜Ｂ１２１）のカレント情報（Ｂ２７〜Ｂ６６）以外の情報を固定情報として、４０ビットのカレント情報（Ｂ２７〜Ｂ６６）のみを外部制御部６４から上記リファレンスデータ保持部４８に与え、上記４０ビットのカレント情報（Ｂ２７〜Ｂ６６）からエンコードした１８７ビットのリファレンスデータを保存したり、あるいは、上記ＴＭＣＣ情報のカレント情報（Ｂ２７〜Ｂ６６）及びネクスト情報（Ｂ６７〜Ｂ１０６）以外の情報を固定情報として、上記４０ビットのカレント情報（Ｂ２７〜Ｂ６６）とともに、４０ビットのネクスト情報（Ｂ６７〜Ｂ１０６）としてカレント情報のコピー又は固定値（例えばオール１）を選択的に与えるようにして、カレント情報とネクスト情報からエンコードした１８７ビットのリファレンスデータを保存するようにしてもよい。
【００９４】
すなわち、運用上、３ビットのセグメント形式識別情報（Ｂ１７〜Ｂ１９）は、テレビジョン放送及びラジオ放送ともに固定値［０００］であり、１０２ビットのＴＭＣＣ情報（Ｂ２０〜Ｂ１２１）のうち、システム識別情報（Ｂ２０〜Ｂ２１）は、テレビジョン放送では固定値［００］で、ラジオ放送では固定値［１０］であり、伝送パラメータ切り替え指標（Ｂ２２〜Ｂ２５）は、固定値［１１１１］であり、緊急警報放送用起動フラグ（Ｂ２６）は、通常、テレビジョン放送及びラジオ放送ともに固定値［０］であり、連結送信位相補正量情報（Ｂ１０７〜Ｂ１０９）は、テレビジョン放送及びラジオ放送ともに固定値［１１１］であり、リザーブ情報（Ｂ１１０〜Ｂ１２１）は、テレビジョン放送及びラジオ放送ともに固定値［１１１１１１１１１１１１］であり、１８７ビット（Ｂ１７〜Ｂ２０３）のリファレンスデータのうちの８２ビットのパリティビット（Ｂ１２２〜Ｂ２０３）は、１０２ビットのＴＭＣＣ情報（Ｂ２０〜Ｂ１２１）に対する誤り訂正符号であり、ＴＭＣＣ情報（Ｂ２０〜Ｂ１２１）から生成することができるので、  エンコーダの機能を搭載したリファレンスデータ保持部４８では、１８７ビット（Ｂ１７〜Ｂ２０３）のリファレンスデータのうちの８２ビットのパリティビット（Ｂ１２２〜Ｂ２０３）を除き、ＴＭＣＣ情報（Ｂ２０〜Ｂ１２１）のカレント情報（Ｂ２７〜Ｂ６６）以外の情報（Ｂ２０〜Ｂ２６，Ｂ２７〜Ｂ１２１）を固定情報として、４０ビットのカレント情報（Ｂ２７〜Ｂ６６）のみが外部制御部６４から与えられる場合、与えられた４０ビットのカレント情報（Ｂ２７〜Ｂ６６）と固定情報（Ｂ２０〜Ｂ２６，Ｂ２７〜Ｂ１２１）に基づいて８２ビットのパリティビット（Ｂ１２２〜Ｂ２０３）を生成することができ、上記与えられた４０ビットのカレント情報（Ｂ２７〜Ｂ６６）を１８７ビット（Ｂ１７〜Ｂ２０３）のリファレンスデータにエンコードして保存することができる。
【００９５】
同様に、エンコーダの機能を搭載したリファレンスデータ保持部４８では、１８７ビット（Ｂ１７〜Ｂ２０３）のリファレンスデータのうちの８２ビットのパリティビット（Ｂ１２２〜Ｂ２０３）を除き、ＴＭＣＣ情報のカレント情報（Ｂ２７〜Ｂ６６）及びネクスト情報（Ｂ６７〜Ｂ１０６）以外の情報を固定情報として、外部制御部６４から、上記４０ビットのカレント情報（Ｂ２７〜Ｂ６６）とともに、４０ビットのネクスト情報（Ｂ６７〜Ｂ１０６）としてカレント情報のコピー又は固定値（例えばオール１）が選択的に与えられる場合、与えられた４０ビットのカレント情報（Ｂ２７〜Ｂ６６）とカレント情報（Ｂ２７〜Ｂ６６）と、固定情報（Ｂ２０〜Ｂ２６，Ｂ６７〜Ｂ１２１）に基づいて８２ビットのパリティビット（Ｂ１２２〜Ｂ２０３）を生成することができ、上記与えられた４０ビットのカレント情報（Ｂ２７〜Ｂ６６）とカレント情報（Ｂ２７〜Ｂ６６）を１８７ビット（Ｂ１７〜Ｂ２０３）のリファレンスデータにエンコードして保存することができる。
【００９６】
外部制御部６４は、４０ビットのネクスト情報（Ｂ６７〜Ｂ１０６）としてカレント情報のコピー又は固定値（例えばオール１）を選択的に与える場合、上記カレント情報のコピー又は固定値（例えばオール１）のどちらをネクスト情報（Ｂ６７〜Ｂ１０６）として用いたら、同期がとれるなど良好な受信状態が得られるかを判定して、良好な受信状態が得られる上記カレント情報のコピー又は固定値（例えばオール１）の何れかを選択してネクスト情報（Ｂ６７〜Ｂ１０６）として、エンコーダの機能を搭載したリファレンスデータ保持部４８に与える。
【００９７】
なお、外部制御部４６は、リファレンスにすべてのデータを入力せずに一部分のデータ（例えばカレント情報のみ）のみしか入力しないことが想定されるので、そのような場合にも、カレント情報のみで相関をとることで相関を用いたフレーム同期制御が有効となる。さらに、フレームの下位数ビット（本形態では１６ｂｉｔ）の相関計算を行うことで動作開始から最短で１６シンボル（＝１６ｂｉｔ）のＴＭＣＣデータが入力された時点でフレーム同期を確立することができる。
【００９８】
ここで、上記相関計算部６１は、相関値の算出方法にパターンマッチを採用している。この相関計算部６１は、フレーム同期高速化用として実装した第１の相関計算部と当該第１の相関計算部以外のＴＭＣＣ情報の部分と受信データとの第２の相関計算部から構成されている。なお、この相関計算部６１が２つに分かれているのは実装上の理由であり、１つの相関計算部で構成できる。
【００９９】
第１の相関計算部では、ＴＭＣＣ情報フレームの末尾に当たるパリティと受信データとの相関(パターンマッチ)を計算している。これにより、図１０に示すように、受信開始時にフレームの末尾から開始されたとしても、この計算部で出力された相関値が充分信頼性の得られるものならば、即座に同期を確立できる。逆に、この計算部がなかった場合、フレームの末尾から入力を開始された場合、そのフレームでは同期できず、その次以降のフレームで同期を確立することとなる。
【０１００】
また、第２の相関計算部は、大きく分けて同期ワードとの相関計算部とそれ以外の相関計算部に分けられる。これは、毎フレーム同期ワードのビットが反転するという規格上の理由により、同期ワード以外の毎フレーム同じビットとなる情報と相関計算を分けていることによる。同期ワードとの相関値はｃｏｒ＿ｏｎｅｓｉｄｅ２＿ｓｅｌ、同期ワード以外との相関結果はｔｍｃｃ＿ｃｏｒ＿ａｄｄ８である。２つの結果を合わせたトータルの相関結果はｔｏｔａｌ＿ｃｏｒｒ＿ｖａｌｕｅである。
【０１０１】
この相関計算部６１では、第２の相関計算部において、ＴＭＣＣデータが毎シンボル入力されるたびに、ＴＭＣＣデータ保持部４４から抜き出したデータ（ｔｍｃｃ＿ｃｓｒ［２１９：１７］）と、リファレンスデータ保持部４８に保持した１つ以上のリファレンスデータの内の１つｔｍｃｃｐａｒａｍｓとの相関を取っている。ｔｍｃｃｐａｒａｍｓは、タイミング制御によりリファレンスデータであるｈｏｓｔ＿ｔｍｃｃ＿ｂｉｔｓｅｑ、ｃａｎｄ１＿ｔｍｃｃ＿ｂｉｔｓｅｑ、ｃａｎｄ２＿ｔｍｃｃ＿ｂｉｔｓｅｑと変化していきそのたびに相関計算を行う。また、同じ内容のリファレンスデータであっても、相関計算を行うデータの領域に応じて複数回の相関計算を行っている。データの領域は、６パターン設けてあり、相関計算を行いたい情報領域の指定にｂｉｔｍａｓｋ＿ｔｍｃｃｐａｒａｍｓを用いており、不要な情報をマスクしている。結局、１シンボル入力されるたびに１つの相関器で（リファレンスデータ数（３）×相関対象の領域パターン（６））＝１８回の相関計算を行い、リソースの共有を図っている。
【０１０２】
なお、相関計算の種類に応じて、同じ数の相関器を構成することも可能である。この場合、構成量は増加するが、タイミング制御を考慮する必要はなく、また供給されるクロックが遅い場合などに有効な手段である。また、１つのリファレンスデータに対して、相関対象データに応じて複数回の相関計算を行っているが、単純にパターンマッチを行うのではなく、各情報の相関値に重み付けを行うことも考えられる。すなわち、より重要な情報、信頼性の高い情報領域に高い相関値を与える。例えば、外部制御部４６はカレント情報のみしかリファレンスデータとして与えない、とわかっている場合に、カレント情報に相当する部分の相関計算は、他のデータより大きな相関値を与えることで、より信頼性のあるフレーム同期を行うことが可能である。相関評価は、本形態にて用いたＥＸＯＲや、上記の重み付け和以外にも、絶対値和、２乗和を用いる方法が考えられる。
【０１０３】
また、フレーム同期判定部６２には、大きく分けて、２つの機能がある。１つは相関計算部６１により出力された相関値を評価することで前段階のフレーム同期判定を行う機能である。また、他の１つは、前段階のフレーム同期判定結果と、フレームの規則性、すなわち２０４シンボル毎にフレームの先頭がくる、という情報を考慮した後段階の最終的なフレーム同期確立を行う機能である。前段階のフレーム同期の判定方法として、相関計算部６１で出力された相関値が閾値以上であったら、ＴＭＣＣ情報フレームの区切りとみなしフレーム同期を確立する、という方法を実装している。判定部が２つに分かれているが、１つにまとめることが可能である。
【０１０４】
前段階のフレーム同期判定部では、相関計算部６１で出力された相関値ｔｏｔａｌ＿ｃｏｒｒ＿ｖａｌｕｅと閾値ｃｕｒｒｅｎｔ＿ｔｈｒｓｈ１がフレーム同期判定部に入力される。この前段階のフレーム同期判定部では、ｔｏｔａｌ＿ｃｏｒｒ＿ｖａｌｕｅがｃｕｒｒｅｎｔ＿ｔｈｒｓｈ１以上の場合、フレームの区切りと判定し、フレーム同期を確立、ｃｏｒｒ＿ｏｋフラグを立てる。ｃｏｒｒ＿ｏｋフラグはフレームの区切りを表すフラグでタイミング制御部を経て、ｆｒａｍｅｅｎｄフラグ（≒フレーム先頭位置検出フラグ）を立てる。
【０１０５】
また、後段階のフレーム同期判定部では、前段階処理で得られた、ｆｒａｍｅｅｎｄフラグを今度は、フレームにまたがって評価している。ここでは、前回ｆｒａｍｅｅｎｄが入力されたタイミングから２０４シンボル数え、２０４シンボル後にｆｒａｍｅｅｎｄが入力されなかったら、自動で同期フラグを生成している。こうすることで、ノイズの多い環境などで、前フレームではｆｒａｍｅｅｎｄフラグを生成することができたのに、現フレームでは、ノイズが多すぎてｆｒａｍｅｅｎｄフラグが生成されない、といった場合に、同期フラグを自動補完することで、後段のタイミング処理を維持することができる。
【０１０６】
上記フレーム同期判定部６２の動作を図１２のタイミングチャートに示す。
【０１０７】
ここで、前段階のフレーム同期判定部は、１シンボル中での処理を図１３に示すように、１シンボル入力されるたびに複数回の相関計算を行っている。そのため、ｔｏｔａｌ＿ｃｏｒｒ＿ｖａｌｕｅは、各相関計算結果により、異なるデータとなる。それに応じて、相関値ｃｕｒｒｅｎｔ＿ｔｈｒｓｈ１を、その相関計算に応じた所望の閾値にしなければならないが、これはタイミング制御部により同期して、２つの値が対応するようになっている。また、相関計算の順序は、
ｈｏｓｔ＿ｔｍｃｃ＿ｂｉｔｓｅｑとの１８７ｂｉｔ相関  ⇒
ｃａｎｄ１＿ｔｍｃｃ＿ｂｉｔｓｅｑとの１８７ｂｉｔ相関  ⇒
ｃａｎｄ２＿ｔｍｃｃ＿ｂｉｔｓｅｑとの１８７ｂｉｔ相関  ⇒
ｈｏｓｔ＿ｔｍｃｃ＿ｂｉｔｓｅｑとの１０４ｂｉｔ相関  ⇒
ｃａｎｄ１＿ｔｍｃｃ＿ｂｉｔｓｅｑとの１０４ｂｉｔ相関  ⇒
・・・
ｃａｎｄ１＿ｔｍｃｃ＿ｂｉｔｓｅｑとの１６ｂｉｔ相関  ⇒
ｃａｎｄ２＿ｔｍｃｃ＿ｂｉｔｓｅｑとの１６ｂｉｔ相関  
と、優先順位にしたがって合計１８回の計算を行っている。また、一番最初に閾値を超えた計算結果を後段階のフレーム同期判定部で用いており、仮に後の相関計算で相関値が閾値を超えたとしても無視される。
【０１０８】
さらに、各レベルのパターンマッチングの対象となるＴＭＣＣ情報を図１４に示すように、各リファレンスにおける相関計算対象のビット数は、１８７ｂｉｔ、１０４ｂｉｔ、１０４ｂｉｔ、６４ｂｉｔ、２４ｂｉｔ、１６ｂｉｔとレベル６からレベル１までの６レベル（レベルが大きいほど信頼性が高い）あり、それぞれどのレベルを有効なものとするかを外部から設定できる（ｃｔｌ＿ｆｅｎｄ＿ｄｅｔ＿ｍｉｎ＿ｌｅｖｅｌ，  ｃｔｌ＿ｆｅｎｄ＿ｄｅｔ＿ｍａｘ＿ｌｅｖｅｌ）ようになっている。この設定値に基づきタイミング制御部で無用な前段階処理結果をマスクしている。後段階のフレーム同期判定部では、前段階処理のフレーム同期判定部からｆｒａｍｅｅｎｄが入力されると、同期フラグ（ａｃｃ＿ｆｒａｍｅｎｄ）を送出すると同時に２０４シンボルカウンタがカウントアップを開始する。カウント値が２０４−＞０になったとき、ｆｒａｍｅｅｎｄが入力されなかったら自動補完で同期フラグを生成するようになっている。また、０以外でｆｒａｍｅｅｎｄが入力された場合は、同期フラグを送出すると同時にカウンタをリセットし、また０からカウントアップを開始する。
【０１０９】
なお、前段処理においては、２０４シンボル間相関結果を記憶しておき、その中で相関結果が最大となったシンボルタイミングをフレームの先頭位置とする、という処理が考えられる。また、あるフレームで相関値が閾値を超えたとき、その次以降のフレームとの相関計算には、相関が取れたときのレベル以上のものだけを有効とする、という方法が有効である。
【０１１０】
ここで、上記第２のフレーム同期制御部６０では、フレーム同期を確立するまでに必要なシンボル数（フレーム数）は、最短でフレーム末尾の相関対象シンボル数、最長で（１フレーム＋フレーム末尾の相関対象シンボル数−１）、平均で（（１フレーム＋２フレーム末尾の相関対象シンボル数−１）／２）となる。実装例では、フレーム末尾の相関対象シンボル数を１６としており、この場合のフレーム同期が確立するまでに必要なシンボル数（フレーム数）は、最短で１６シンボル、最長で２１９シンボル、平均で１１７．５シンボル（約０．６フレーム）となり、従来方式より約１．９フレーム速くフレーム同期を確立できる。また、相関対象とするシンボル数を増やすことで、よりフレーム同期の信頼性を増すことが可能となり、ノイズレベルが高い状態でも安定してフレーム同期を確立できる。また、受信するＴＭＣＣ情報を事前に予想し、１つ以上のリファレンスデータを用意することで、送信側でのＴＭＣＣ情報の変更に対しても柔軟に対応できる。また、通常、受信したＴＭＣＣ情報は選局したチャンネルに応じて異なるが、受信したＴＭＣＣ情報をそのまま外部制御部へ出力することにより、外部制御部は次回同チャンネルの選局時にこのＴＭＣＣ情報をリファレンスデータとして入力することができる。このとき、受信したＴＭＣＣ情報中の差集合巡回符号化により誤り保護されている部分に誤りがあった場合、次回選局時のリファレンスデータとして適当でないＴＭＣＣ情報を出力することになるので、受信したＴＭＣＣ情報に対し、復号部で復号時に誤り訂正を行わなかったというフラグが成立したときのみＴＭＣＣ情報を出力することが望ましい。
【０１１１】
また、受信ＴＭＣＣ情報とリファレンスデータとの相関を用いたフレーム同期方式は、誤りの入った受信ＴＭＣＣ情報に対して相関値が低くなることが予想され、また、受信ＴＭＣＣ情報がリファレンスデータのどれにも合致しないような場合、フレーム同期の確立が困難、もしくは不可能になるので、上記第１のフレーム同期制御部５０のような、同期ワードを検出する、差集合巡回復号化に成功するなどを条件としたより信頼性のあるフレーム同期の確立を行う方式と併用することが望ましい。こうすることで、動作開始時には、受信ＴＭＣＣ情報とリファレンスデータとの相関を用いたフレーム同期方式を用いて即座にフレーム同期の確立を行い、上記第１のフレーム同期制御部５０でフレーム同期が成立したら上記第１のフレーム同期制御部５０に切り替えることにより、高速であり、且つ信頼性の高いフレーム同期を行うことができる。
【０１１２】
ここで、以上説明した実施の形態では、図７に示されるように、相関計算部６１において１つの相関器でタイミング制御をかけて、１シンボルデータが入力されるたびに複数回の相関計算を行っている（時分割処理）が、必ずしも時分割処理でなくともよい。例えば、図１５に示すように相関計算部６１に必要な相関計算の数だけ相関器６１ａ，６１ｂ・・・６１ｎを複数用意することも考えられる。本実施の形態のような時分割処理の場合、優先順位の高いリファレンスデータとの相関が取れた時点で、優先順位の低いリファレンスデータとの相関値の如何にかかわらず、フレーム同期を確立したとみなすことにしている（先優先）が、図１５に示す相関器６１ａ，６１ｂ・・・６１ｎを複数用いた方式では、先優先方式を取ることができず、信頼度に応じたフレーム同期判定を行う必要がある。
【０１１３】
また、図２に示したフレーム検出/伝送制御情報復号回路１８ように、予想されるＴＭＣＣ情報の少なくとも一部の１つ以上のリファレンスデータをリファレンスデータ保持部４８に保持しておき、受信したデジタル放送信号から復調したＴＭＣＣデータから同期ワードを検出してフレーム同期を確立する第１のフレーム同期制御部５０による同期制御と、上記受信したデジタル放送信号から復調したＴＭＣＣデータと予想されるＴＭＣＣ情報の少なくとも一部の１つ以上のリファレンスデータとの相関を求めてフレーム同期を確立する第２のフレーム同期制御部６０による同期を行い、上記第１のフレーム同期制御部５０によるフレーム同期が確立された時点で、セレクタブロック７０により上記第２のフレーム同期制御部６０から上記第１のフレーム同期制御部５０による同期制御に切り換えるにあたり、上述のＯＦＤＭ受信装置１０では、例えば、外部制御部４６からリファレンスデータ保持部４８に４０ビットのカレント情報として各階層の伝送パラメータが与えられ、リファレンスデータとして上記リファレンスデータ保持部４８に保持され、図１６に示すように、上記第１のフレーム同期制御部５０と第２のフレーム同期制御部６０によりそれぞれ生成された伝送パラメータを選択的に出力するセレクタ７２の出力段に、上記第２のフレーム同期制御部６０により制御されるセレクタ７３を設け、上記セレクタ７２から出力される伝送パラメータと上記リファレンスデータ保持部４８から出力されるリファレンスデータとを上記セレクタ７３により切り換えて、上記第２のフレーム同期制御部６０によりフレーム同期を確立するまでの間、上記リファレンスデータ保持部４８から出力されるリファレンスデータを暫定的な伝送パラメータとして後段に与えるようにしてもよい。
【図面の簡単な説明】
【０１１４】
【図１】本発明を適用したＯＦＤＭ受信装置の構成を示すブロック図である。
【図２】上記ＯＦＤＭ受信装置におけるフレーム検出/伝送制御情報復号回路の構成を示すブロック図である。
【図３】上記フレーム検出/伝送制御情報復号回路における復調部の構成を示すブロック図である。
【図４】上記復調部における第１のフレーム同期制御部の構成を示すブロック図である。
【図５】上記フレーム検出/伝送制御情報復号回路における同期制御回路のステートマシーンの一例を示す図である。
【図６】上記ステートマシーンにおける状態遷移を説明するフローチャートである。
【図７】上記復調部における第２のフレーム同期制御部の構成を示すブロック図である。
【図８】上記第２のフレーム同期制御部におけるフレーム相関を用いた同期制御の動作を模式的に示す図である。
【図９】上記フレーム相関を用いた同期制御の動作を模式的に示す図である。
【図１０】上記フレーム相関を用いた同期制御におけるノイズの影響を模式的に示す図である。
【図１１】上記復調部における第１及び第２のフレーム同期制御部によるフレーム同期の確立の速さを模式的に示す図である。
【図１２】上記第２のフレーム同期判定部の動作を示すタイミングチャートである。
【図１３】上記第２のフレーム同期判定部における前段階のフレーム同期判定部による１シンボル中での処理を示すタイミングチャートである。
【図１４】上記前段階のフレーム同期判定部における各レベルのパターンマッチングの対象となるＴＭＣＣ情報を模式的に示す図である。
【図１５】上記ＯＦＤＭ受信装置におけるフレーム検出/伝送制御情報復号回路の他の構成例を示すブロック図である。
【図１６】上記ＯＦＤＭ受信装置におけるフレーム検出/伝送制御情報復号回路のさらに他の構成例を示すブロック図である。
【符号の説明】
【０１１５】
１０  ＯＦＤＭ受信装置、１１  アンテナ、１２  チューナ、１２ａ  乗算器、１２ｂ  局部発振器、１３  バンドパスフィルタ（ＢＰＦ）、１４  Ａ/Ｄ変換回路、１５  ＤＣキャンセル回路、１６  デジタル直交復調回路、１７  ＦＦＴ演算回路、１８  フレーム検出/伝送制御情報復号回路、１９  同期回路、２０  キャリア復調回路、２１  周波数デインタリーブ回路、２２  時間デインタリーブ回路、２３  デマッピング回路、２４  ビットデインタリーブ回路、２５  デパンクチャ回路、２６  ビタビ復号回路、２７  バイトデインタリーブ回路、２８  拡散信号除去回路、２９  トランスポートストリーム生成回路、３０  ＲＳ復号回路、３１  チャンネル選択回路、４０  復調部、４１  差動復調回路、４２  ビット判定回路、４４  ＴＭＣＣデータ保持部、４６  外部制御部、４８  リファレンスデータ保持部、５０  第１のフレーム同期制御部、５１  フレーム同期判定回路、５２  同期位置記憶部、５３  比較回路、５４  不整合信号判定部、５５  誤り訂正回路、５６  同期制御回路、６０  第２のフレーム同期制御部、６１  相関計算部、６１ａ，６１ｂ・・・６１ｎ  相関器、６２  フレーム同期判定部、６３  伝送パラメータ選択部、７１  セレクタ、７２  セレクタ、７３  セレクタ、７０  セレクタブロック、８０  ステートマシーン
【図１】
2008099263.tif 000003
【図２】
2008099263.tif 000004
【図３】
2008099263.tif 000005
【図４】
2008099263.tif 000006
【図５】
2008099263.tif 000007
【図６】
2008099263.tif 000008
【図７】
2008099263.tif 000009
【図８】
2008099263.tif 000010
【図９】
2008099263.tif 000011
【図１０】
2008099263.tif 000012
【図１１】
2008099263.tif 000013
【図１２】
2008099263.tif 000014
【図１３】
2008099263.tif 000015
【図１４】
2008099263.tif 000016
【図１５】
2008099263.tif 000017
【図１６】
2008099263.tif 000018